(57)【要約】【課題】硬質プラスチック等用の二軸式破砕機を、製造コストを低減すると共に、騒音・振動等を少なくし、またメンテナンスや修理が必要時に専門業者によらずとも容易に行なえて、中・小・零細業者にも利用し易くする。【解決手段】ホッパー２の下部に、外周に複数の回転刃４，４をもつ２本の回転軸３，３が互いに逆向きで回転する如く横設され、その間を硬質プラスチック等が通過することで破砕される二軸式破砕機において、上記ホッパー２を基台１上の回転刃４，４上方に載置させる構造として、その基台１上側の片側部に、上記回転軸３，３を低速・高トルク回転させる小型モータ５を設け、かつ基台１上側の他側部に、ホッパー２外側下部との間で、ホッパー傾動用軸７と該軸７へ可回動な軸支部８とを設けて連結することで、必要な際にホッパー２を側方へ傾斜可能とする。【選択図】        図１
0003103306.tif 000002
【実用新案登録請求の範囲】
【請求項１】
ホッパー２の下部に、外周に複数の回転刃４，４をもつ２本の回転軸３，３が互いに逆向きで回転する如く横設され、その間を硬質プラスチック等が通過することで破砕される二軸式の破砕機において、
上記ホッパー２を基台１上の回転刃４，４上方に載置させる構造として、その基台１上側の片側部に、上記回転軸３，３を低速・高トルク回転させる小型モータ５を設け、
かつ基台１上側の他側部に、ホッパー２外側下部との間で、ホッパー傾動用軸７と該軸７に可回動な軸支部８とを設けて連結し、必要な際にホッパー２を側方へ傾斜可能としてなる、硬質プラスチック等用の二軸式の破砕機。
【請求項２】
ホッパー２の内下部寄りに、互いに逆向きで回転する２本の平行な回転軸３，３があって、該回転軸３，３外周に複数の回転刃４，４が互いに食い違い状に設けられた、硬質プラスチック等用の二軸式の破砕機において、
上記ホッパー２を上記回転刃４，４上方で基台１上に載置する構造として、その基台１上側の片側部に、動力伝達手段６を介して回転軸３，３を低速・高トルク回転させる小型モータ５を設け、
かつ、基台１上側の他側部に、上記回転軸３，３と平行状にホッパー傾動用軸７を横設すると共に、ホッパー２外側下部に該傾動用軸７と可回動な軸支部８を設けて連結し、必要な際にホッパー２を側方へ傾斜可能としてなる、硬質プラスチック等用の二軸式の破砕機。
【考案の詳細な説明】
【技術分野】
【０００１】
本考案は、例えば廃棄された自動車のバンパーその他、主として硬質プラスチック製品や部品を細かく破砕するために用いる破砕機に関するもので、特に二軸式破砕機の改良に係るものである。
【背景技術】
【０００２】
近時、例えば自動車のバンパーその他の主として硬質プラスチック製品や部品が、大量に廃棄処分されており、それらの内で燃料・原料として再利用可能なものはリサイクル処理され、その他のものは焼却または埋め立て処分されている。しかしそれらを再利用や焼却・埋め立てなどの最終処理をするにも、元の製品・部品の大きさ・形状のままでは、見掛け比重が小さく空隙も大きいので、嵩張って処理し難い場合が多い。
【０００３】
そこで、容積を小さくして再利用を始めとする取扱いを容易にし、貯蔵や運搬経費を低減させ、焼却するに際には安定した焼却を可能にし、また埋め立て地等の空間利用度を増加させる等の目的のために、廃棄されたプラスチック製品等を細かく破砕することが行われており、破砕機が用いられている。
【０００４】
その破砕機には従来より各種のものがあるが、一般的なものは一軸式と二軸式のものに分類でき、その一軸式の破砕機は、固定刃と回転刃を組み合わせ、ホッバーから投入された廃棄プラスチック製品等を押圧して両刃間へ送って破砕させるものであり、例えば次の文献に記載のものがそれである。
【特許文献１】特開昭５５−１４２５５２公報
【特許文献２】特開平  ９−５７１３９号公報
【特許文献３】特開平１０−２２４３０７号公報
【特許文献４】特開２００１−３４７１７７号公報
【０００５】
また二軸式の破砕機は、平行に設けられた２本の回転ドラムの周りに、複数の回転刃を互いに対向する刃が重なり合うように近接して形成されており、ホッパーからから投入された廃棄プラスチック製品等を互いに逆方向へ回転する刃の間に挟みこんで破砕させるものであり、例えば次の文献に記載のものがそれである。
【特許文献５】特開平  ５−２３６０８公報
【特許文献６】特開平  ６−６０４４２号公報
【特許文献７】特開平  ８−２８１１３８号公報
【特許文献８】特開２００２−１１３９号公報
【特許文献９】特開２００２−３５５５７５号公報
【特許文献１０】特開２００３−２５１２１１号公報
【特許文献１１】特許第２９２８７７４号公報
【考案の開示】
【考案が解決しようとする課題】
【０００６】
上記一軸式の破砕機は、その内部で廃棄プラスチック製品等を両刃間へ押しやる押圧手段が必要になるので、装置全体が大型化し、製造コストも高くなる等の問題点があり、例えば産業廃棄物を処理する中・小・零細の企業等ではとても手を出せる金額ではない。
【０００７】
他方上記二軸式の破砕機は、上記のものに比べれば押圧手段が不要であり、装置を比較的小型化し易いし、製造コストも抑えられる。しかしそれでもまだ、振動防止や防音装置を付設している等で構造が複雑なため、装置全体は大きいものであり、また製造コストも高く、例えば数百万円ほどを要するから、やはり中・小・零細業者等では手を出せるものではなかった。
【０００８】
また破砕機の運転中に、両回転刃間に廃棄プラスチック製品等が挟まったりこびり付いて、破砕作業を継続できなくなる等のトラブルの発生時や、定期的なメンテナンスの必要が生じた場合等に、従来のものでは重いホッパーを取り外して、清掃・修理等を行う必要があった。そのため、専門業者による大がかりな作業が必要となって、この面からもランニングコストが高くつく、という問題もあった。
【０００９】
本考案は、廃棄された硬質プラスチック製品等を破砕するための二軸式破砕機に関し、従来のものが有する上記問題点の解消をを課題としたものである。即ち本考案の目的は、従来のものに比べて構造を一層簡素化して、製造コストを低減すると共に、両回転刃間に廃棄プラスチック製品等が挟まりこびり付いたようなトラブル時に、専門業者に依頼せずとも清掃・修理作業を比較的容易に行うことを可能として、中・小・零細業者でも購入・使用可能な硬質プラスチック等用の破砕機を提供することにある。
【課題を解決するための手段】
【００１０】
本考案に係る硬質プラスチック等用の二軸式破砕機は、
ホッパー２の下部に、外周に複数の回転刃４，４をもつ２本の回転軸３，３が互いに逆向きで回転する如く横設され、その間を硬質プラスチック等が通過することで破砕される二軸式の破砕機において、
上記ホッパー２を基台１上の回転刃４，４上方に載置させる構造として、その基台１上側の片側部に、上記回転軸３，３を低速・高トルク回転させる小型モータ５を設け、
かつ基台１上側の他側部に、ホッパー２外側下部との間で、ホッパー傾動用軸７と該軸７に可回動な軸支部８とを設けて連結し、必要な際にホッパー２を側方へ傾斜可能としたものである。
【考案の効果】
【００１１】
イ）上記構成の本考案に係る硬質プラスチック等用の破砕機は二軸式のものであるが、従来のものと異なりその構造は上記の如くきわめてシンプルである。そのため、必要最小限の構造ながら、硬質プラスチック等用の二軸式破砕機として必要な機能を有しており、例えば従来のものが数百万円もしたのに対して数十万円で安価に製造することができ、中・小・零細企業でも容易に購入できるようになる。
【００１２】
ロ）回転軸３，３を低速回転させるようにして、小型モータ５を用いたことにより、従来と異なり防音設備や防振設備等も不要となったので、この面からも構造がシンプルであると共に、安価に製造できる。
【００１３】
ハ）さらに、回転刃４，４にコビリ付いたものの清掃や修理等のメンテナンスを、容易・迅速に行うことができる。従来の破砕機では、基台上にボルトで締付け固定してある重いホッパーを、クレーンまたは数人の人力で持ち上げて取り外してから、清掃や修理等の作業を行う必要がり、専門業者による大がかりな作業となって、ランニングコストも高くついていた。
【００１４】
それに対して本考案の破砕機でのホッパー２は、基台１上側のホッパー傾動用軸７とホッパー２外側下部のホッパー軸支部８とで回動させて、必要な際に取付け用ボルト９を緩めれば、ホッパー２を側方へ傾斜させることができる。そのため、ホッパー２を傾斜させた状態で、中・小・零細企業内の作業者の手により、清掃や修理等のメンテナンスを容易・迅速に行うことができ、ランニングコストも安価になるので、この面からも中・小・零細企業が使用できるものになっている。
【００１５】
ニ）なお、上記の如くホッパー２を側方へ傾斜させた場合にも、破砕機が転倒するおそれはない。即ち、基台１上側の片側部に小型モータ５を設け、その反対側の他側部にホッホッパー傾動用軸７とその軸支部８とを設けてある。そのため、ホッパー２を傾動させた際にも、重量のバランスがとれており、破砕機が転倒するおそれが無くなっている。
【考案を実施するための最良の形態】
【００１６】
本考案に係る硬質プラスチック等用の二軸式破砕機も、ホッパー２の内下部寄りに、互いに逆向きで回転する２本の平行な回転軸３，３があって、該回転軸３，３外周に複数の回転刃４，４が互いに食い違い状に軸装された二軸式の破砕機である。
【００１７】
また上記ホッパー２を下部の基台１上に別体で載置する構造であって、上記回転刃４，４付きの２本の回転軸３，３は基台１上で横向きに軸支されると共に、基台１上側の片側部に、動力伝達手段６例えばチエーンやギヤを介して該回転軸３，３を低速回転させる小型モータ５が設けられている。該モータ５は正・逆回転可能なものが望ましい。
【００１８】
そして、基台１上側の他側部即ち上記小型モータ５を設けたのと反対側に、上記回転刃４，４付きの回転軸３，３と平行状になる如く、ホッパー傾動用軸７が横設されており、かつホッパー２外側下部に該傾動用軸７に可回動に軸装される軸支部８を設けてある。
【００１９】
上記回転刃付き回転軸３，３を回転させるモーターは小型のもので、低速で高トルクの回転をさせるように、例えば電圧２００Ｖ用で、出力１．５Ｋｗ、重量約２５０Ｋｇのものを用いて、引き込み速度を約３．５ｍ／分程度にすることが望ましいが、この数値に限るものではない。
【実施例１】
【００２０】
図１ないし図４は、本考案に係る硬質プラスチック等用の二軸式破砕機の実施例を示すものであり、ホッパー２の内下部寄りに、互いに逆向きで回転する２本の平行な回転軸３，３があって、該回転軸３，３外周に複数の回転刃４，４が互いに食い違い状に設けられている。
【００２１】
上記ホッパー２は、通常時には直立状になっており、ここでは高さが約８０ｃｍで、横幅が約６０ｃｍの横断面四角形状の筒状であって、上部は鍔部付きで大きく開口した投入口１０であり、両側面の下部寄りが狭くなっており、底部は前後方向へ長く開口した排出口１１となっている。
【００２２】
１は基台を示し、ここでは四本の立脚部１２上に一辺が約８０ｃｍの台板１３が固定されており、その上の前・後に軸受け部（図示略）をもつ上下開口の枠体１４が設けてあって、該枠体１４内部に外周に複数の回転刃４，４をもつ回転軸３，３が平行状に横設してある。該枠体１４は、上記ホッパー２下部の排出口１１とほぼ合致する大きさ・形状をしており、枠体１４上に排出口１１が重なるようにしてある。
【００２３】
上記回転軸３，３は、図４からも明らかなように、各外周に複数の回転刃４，４を互いに食い違い状に軸装してあり、硬質プラスチック製の製品や部品等が回転刃４，４間を通過時に破砕されるようになっている。
【００２４】
５は小型モータを示し、上記基台１の台板１３上の片側部（例えば図１で左側部）に、モーターボックス２３を設けて内装してある。上記回転軸３，３を低速で高トルクの回転させるように、ここでは電圧２００Ｖ用で、出力１．５Ｋｗ、重量約２５０Ｋｇのものを用い、引き込み速度が約３．５ｍ／分になるように設定してある。
【００２５】
６は動力伝達手段を示し、ここでは図２で示したようにチエーンを用いている。スイッチボックス２４を設けた反対側に設けたチエーンカバー１７内に、上記小型モータ５の軸と刃付き回転軸３，３とに軸装したチエンホイル１５，１６間に架け渡してあるが、ギヤを用いてもよいことは勿論である。
【００２６】
７はホッパー傾動用軸を示し、図４で示したように、上記基台１の台板１３上の他側部（例えば上記図１で右側部）、即ち上記モータボックス２３を設けた側と反対側に、台板１３上に二本の短い脚杆部１９を立脚してその上部に、上記回転軸３，３と平行状に丸棒を横設したものである。
【００２７】
８はホッパー２側の軸支部を示し、横向き円筒状をしており、ホッパー２の側下部に設けた二本の短い支持杆部１８の下部に設けて、上記傾動用軸７へ可回動に軸装してある。ここでの脚杆部１９と支持杆部１８とは、傾斜したホッパー２の重量を支持可能に十分な強度をもつようにしてある。
【００２８】
また脚杆部１９と支持杆部１８との各長さは、ホッパー２が傾動用軸７と軸支部８を中心にして回動して側方へ傾斜可能であると共に、垂直状態で基台１上の枠体１４上に載置可能であるように、ここでは各約１３ｃｍの長さとしてある。なお図示は省略するが、上記と異なり、ホッパー傾動用軸７をホッパー２側の支持杆部１８に横設し、軸支部８を台板１３側の脚杆部１９に横設してもよいことは勿論である。
【００２９】
２０は傾斜ストッパーを示し、上記脚杆部１９を設けた側の基台１側部に立設してあって、上記ホッパー２をここでは水平面に対して約３０度の角度にまで傾斜させた状態で、ホッパー２の前後側壁に設けた受片２１を支持して傾斜状態を維持可能としている。ここでは傾斜ストッパー２０を２本立設して、その間に横杆も設けてある。この傾斜状態で、回転刃４，４にこびり付いたものの除去、修理、その他のメンテナンスがが行われる。
【００３０】
図において、９はホッパー取付け用ボルトを示し、ここではホッパー２前・後の側下部に設けたフランジ部２２の２箇所のボルト用孔２６から、基台１の台板１３上の枠体１４上部に形成したボルト用孔２５へ螺装して締付け固定し、ホッパーを垂直状態に保持するものである。２４はスイッチボックス、２７は基台１の下側に設けたキャスターを示している。
【図面の簡単な説明】
【００３１】
【図１】本考案に係る硬質プラスチック等用の二軸式破砕機の実施例を示す正面図である。
【図２】図１で示したものの背面図である。
【図３】図１で示したものの斜視図である。
【図４】図１で示したものをホッパーを傾斜させた際に、傾斜ストッパーで支持される直前の状態を示す一部の拡大斜視図である。
【符号の説明】
【００３２】
１−基台
２−ホッパー
３−回転軸
４−回転刃
５−小型モータ
６−動力伝達手段，チエーン
７−ホッパー傾動用軸
８−軸支部
９−取付け用ボルト
１０−投入口
１１−排出口
１２−立脚部
１３−台板
１４−枠体
１５−チエーンホイル
１６−チエーンホイル
１７−チエンカバー
１８−支持杆部
１９−脚杆部
２０−傾斜ストッパー
２１−受片
２２−フランジ部
２３−モーターボックス
２４−スイッチボックス
２５−ボルト用孔
２６−ボルト用孔
２７−キャスター
【図１】
0003103306.tif 000003
【図２】
0003103306.tif 000004
【図３】
0003103306.tif 000005
【図４】
0003103306.tif 000006